(57)【特許請求の範囲】
【請求項１】
コンピュータ・ネットワークで提供される更新情報であるフィード情報を取得し利用者に提示する情報表示装置の情報表示方法であって、
前記情報表示装置は、フィード情報管理装置とフィード情報取得装置とフィード情報格納装置とフィード情報表示装置とを備え、
前記フィード情報管理装置が、利用者から希望するフィード情報の配信元アドレスの登録を受けるステップと、
前記フィード情報取得装置が、前記フィード情報管理装置に登録された配信元アドレスのフィード情報を取得し、取得したフィード情報を該フィード情報に含まれる個別情報であるエントリ情報に分割して前記フィード情報格納装置に格納するステップと、
前記フィード情報表示装置が、前記フィード情報格納装置に格納されている前記利用者が希望するフィード情報のエントリ情報から利用者があらかじめ登録したキーワードを含むエントリ情報のみを絞り込んで表示することに加え、表示しているエントリ情報のキーワードを含み前記フィード情報格納装置に格納されている該利用者が希望していないフィード情報のエントリ情報を表示するステップと、
を有することを特徴とする情報表示方法。
【請求項２】
コンピュータ・ネットワークで提供される更新情報であるフィード情報を取得し利用者に提示する情報表示装置であって、
利用者から希望するフィード情報の配信元アドレスの登録を受けるフィード情報管理装置と、
前記フィード情報管理装置に登録された配信元アドレスのフィード情報を取得し、取得したフィード情報を該フィード情報に含まれる個別情報であるエントリ情報に分割してフィード情報格納装置に格納するフィード情報取得装置と、
前記フィード情報格納装置に格納されている前記利用者が希望するフィード情報のエントリ情報から利用者があらかじめ登録したキーワードを含むエントリ情報のみを絞り込んで表示することに加え、表示しているエントリ情報のキーワードを含み前記フィード情報格納装置に格納されている該利用者が希望していないフィード情報のエントリ情報を表示するフィード情報表示装置と、
を有することを特徴とする、情報表示装置。
【請求項３】
請求項１に記載の情報表示方法をコンピュータに実行させるためのプログラム。
【請求項４】
請求項３に記載のプログラムを記録したコンピュータ読み取り可能な記録媒体。
【発明の詳細な説明】
【技術分野】
【０００１】
本発明はネットワーク上に存在する電子情報を取得し表示する技術に係わり、特に利用者が自らの意思で購読中の電子情報の内容と関連しているが利用者は購読していない電子情報を取得し表示する技術に関する。
【背景技術】
【０００２】
インターネットなどの計算機で構成されるコンピュータ・ネットワーク（以下ネットワークと略す）では、ネットワーク利用者が容易に情報を提示することができる。このため、ネットワーク上には多量の情報が存在する。この多量の情報の中から利用者が欲する情報のみを効率よく取得する便宜を図るために、情報提供者はフィードと呼ばれる更新情報を配信している。利用者がこのフィードを取得し、利用者の欲する情報を提示する装置としてフィードリーダがある。フィードリーダでは、利用者が購読手続きを行うことで、フィードを登録し該フィードで配信されている情報を取得できる。
【０００３】
また関連する技術として、フィードリーダをテレビ受像機に組み込み、フィードリーダで購読中の情報と関連するテレビジョン放送の番組情報を提示する技術（特許文献１）、テレビ受像機で受信中のテレビジョン放送の番組情報と関連するフィードリーダで購読中の情報を提示する技術（特許文献２）が知られている。
【０００４】
なお、本願発明に関連する先行技術文献としては以下のものがある。
【０００５】
【特許文献１】特開2007-28310号公報
【特許文献２】特開2007-28312号公報
【発明の開示】
【発明が解決しようとする課題】
【０００６】
しかしながら、前述の従来技術においては、以下のような課題がある。
【０００７】
フィードの購読対象は情報提供者の供する単位である。このため、利用者があるフィードを購読手続きしたとき、該フィードに利用者が欲しない情報が多数含まれる場合であっても、フィードリーダは購読中のフィードに含まれる情報をすべて表示してしまう。これにより必要な情報が不要な情報に埋もれてしまい、利用者は必要な情報をその都度探す必要がある。
【０００８】
また、利用者はフィードリーダで自ら購読手続きした情報提供者からの情報しか取得できない。このため、購読していない情報提供者が提供する情報の中に必要な情報がある場合には、これに気づけない。前述の先行技術では情報の取得先が番組情報または購読中の情報であり、情報の収集先が限定されるためこの課題を解決できない。
【課題を解決するための手段】
【０００９】
本願において開示される発明のうち、代表的なものの概要を簡単に説明すれば、下記の通りである。
【００１０】
（１）コンピュータ・ネットワークで提供される更新情報であるフィード情報とこれに含むエントリ情報を取得し利用者に提示する情報表示装置の情報表示方法であって、前記情報表示装置は、フィード情報管理装置とフィード情報取得装置とフィード情報格納装置とフィード情報表示装置とを備え、前記フィード情報管理装置が、利用者から希望するフィード情報の配信元アドレスの登録を受けるステップと、前記フィード情報取得装置が、前記フィード情報管理装置に登録された配信元アドレスのフィード情報およびエントリ情報を取得するステップと、前記フィード情報格納装置が、前記フィード情報取得装置が取得したフィード情報およびエントリ情報を格納するステップと、前記フィード情報表示装置が、前記フィード情報格納装置に格納されたフィード情報およびエントリ情報を利用者の要求に応じ表示するステップと、を有することを特徴とする。
【００１１】
（２）（１）において、前記フィード情報表示装置は、利用者があらかじめ登録したキーワードを含む、または利用者があらかじめ登録したカテゴリに属する、フィード情報のみを格納装置から取得し表示することを特徴とする。
【００１２】
（３）（１）において、前記フィード情報表示装置は、利用者が希望するフィード情報を表示することに加え、該フィード情報の含むキーワードと同一で、かつ該利用者は希望しておらず、かつ前記フィード情報格納装置に格納されているフィード情報を格納装置から取得し表示することを特徴とする。
【００１３】
（４）また、本発明は、前述の情報表示方法を実行する情報表示装置である。
【００１４】
（５）また、本発明は、前述の情報表示方法をコンピュータに実行させるためのプログラムである。
【００１５】
（６）また、本発明は、前述のプログラムを記録したコンピュータ読み取り可能な記録媒体である。
【発明の効果】
【００１６】
本願において開示される発明のうち代表的なものによって得られる効果を簡単に説明すれば、下記の通りである。
【００１７】
（１）本発明によれば、利用者が購読するフィードのうち、利用者が必要な情報だけを取得して閲覧できる。
【００１８】
（２）本発明によれば、利用者が購読していないフィードに存在する情報であっても、関連する情報を取得して閲覧できる。
【発明を実施するための最良の形態】
【００１９】
以下、図面を参照して本発明の実施例を詳細に説明する。
なお、実施例を説明するための全図において、同一機能を有するものは同一符号を付け、その繰り返しの説明は省略する。
【００２０】
図１は、本発明の実施例の情報表示装置の概略構成を表すブロック図である。
本実施例の情報表示装置は、フィード情報取得装置１、フィード情報格納装置２、フィード情報表示装置３、フィード情報管理装置４を備える。また、情報表示装置はフィードサーバ５とインターネットを介して接続されている。ここでフィードサーバ５とは、フィード情報を提供するサーバである。また、フィード情報のフォーマットとして、本実施例ではＸＭＬで表現されたＲＳＳおよびＲＦＣ４２８７で規定されているＡｔｏｍ配信フォーマットを使用する。
【００２１】
フィード情報取得装置１は、フィードサーバ５が提供しているフィード情報を取得し、フィード情報格納装置２に格納する。このとき、フィード情報に含まれる個別情報であるエントリ情報に分割し、これをフィード情報格納装置２に格納する。
【００２２】
フィード情報格納装置２は、フィード情報取得装置１が取得したフィード情報およびエントリ情報を格納する。また、フィード情報管理装置４にて受け付けた利用者からの設定情報も格納する。
【００２３】
フィード情報表示装置３は、フィード情報格納装置２に格納したフィード情報およびそのエントリ情報を利用者に提示する。このとき、利用者がフィード情報管理装置４で設定したフィード情報およびエントリ情報で、購読を希望するキーワードが同時に設定されているときは該キーワードが含まれるフィード情報およびエントリ情報のみを提示する。同時に、現在表示中のキーワードと合致し、かつ利用者が購読していないフィード情報およびエントリ情報をフィード情報格納装置２から取得し提示する。
【００２４】
フィード情報管理装置４は、利用者の購読希望フィード情報の登録やその変更を受け付けるインタフェースを持つ。また、利用者の購読したいキーワードの登録や変更を受け付けるインタフェースを持つ。
【００２５】
このように、本実施例では、フィード情報取得装置１が取得したフィード情報およびエントリ情報をフィード情報格納装置２に格納する。また、フィード情報表示装置３が利用者にフィード情報およびエントリ情報を提示するときは、フィード情報格納装置２から取得し提示する。このとき、現在提示中のフィード情報およびエントリ情報と関連し、かつ利用者が購読していないフィード情報およびエントリ情報がフィード情報格納装置に存在するときは同時に利用者に提示する。これにより、利用者が購読するフィード情報のうち必要な情報だけを取得して閲覧できる。また、利用者が購読していないフィード情報であっても、関連する情報を取得して閲覧できる。
【００２６】
始めに、フィード情報の取得時について説明する。
利用者がフィード情報管理装置４により購読希望するフィード情報ＵＲＬ（フィード情報の配信元アドレス）を登録する。登録したフィード情報ＵＲＬはフィード情報格納装置２に保存される。フィード情報取得装置１はフィード情報格納装置２に保存されているフィード情報ＵＲＬを取得し、該フィード情報ＵＲＬで示されるフィードサーバ５に接続し、フィード情報およびエントリ情報を取得する。取得したフィード情報およびエントリ情報は、フィード情報格納装置２に保存すると同時に、エントリ情報の内容文字列に含まれるキーワードをカテゴリ情報として抽出し、エントリ情報の属性値としてフィード情報格納装置２に保存する。なお、このフィード情報の取得は、利用者からの閲覧要求時に行われるほか、管理者が設定した時間間隔で定期的に取得する。
【００２７】
次に、フィード情報の閲覧時について説明する。
利用者がフィード情報表示装置３の使用を開始すると、フィード情報表示装置３はフィード情報格納装置２から該利用者の購読フィード情報を取得する。そして購読フィードのエントリ情報をフィード情報格納装置２から取得する。次に、該利用者の希望カテゴリ情報および希望キーワード情報をフィード情報格納装置２から取得する。取得した希望カテゴリ情報および希望キーワード情報と一致する、購読フィードのエントリ情報のみを絞り込んでフィード情報表示装置３の画面に表示する。さらに、現在フィード情報表示装置３で表示している購読フィードのエントリ情報に含まれるキーワードと同じキーワードを含み、かつ該利用者が購読していないフィードのエントリ情報をフィード情報格納装置２から取得する。ここで取得したフィードのエントリ情報は、フィード情報表示装置３の現在表示中のエントリ情報と重ならないように、たとえばテロップ形式で表示する。
【００２８】
以下、各装置の処理方式およびデータの格納形式について、画面例を含めて詳細に説明する。
【００２９】
始めに、フィード情報管理装置の処理について説明する。
図２は、フィード情報管理装置４が利用者に提示する購読フィード設定画面である。購読フィード設定画面２１では、利用者が購読しているフィード情報の一覧表示、新規に購読を希望するフィード情報の登録、購読中のフィードの購読解除ができる。購読中フィード一覧２０１には、現在利用者が購読しているフィード情報の一覧を表示する。購読中フィード一覧２０１に表示されているフィード情報は、フィード情報のタイトルとＵＲＬである。購読中フィード一覧２０１のフィード情報は個別に選択できる。フィード情報を選択した状態で購読解除ボタン２０４を押下すると、該フィードの購読を解除できる。またフィード情報ＵＲＬ入力ボックス２０２にフィード情報の配信ＵＲＬを入力し、新規購読ボタン２０３を押下すると、該フィード情報を購読開始する。閉じるボタン２０５を押下すると、購読フィード設定画面２１を閉じて購読フィード設定を終了する。
【００３０】
図３はフィード情報管理装置４を通じてフィード情報格納装置２に格納される、ユーザ購読フィード管理表３１とユーザ管理表３２のデータ構造である。ユーザ購読フィード管理表３１はUSER_ID列３０１、FEED_URI列３０２で構成する。USER_ID列３０１は利用者を一意に表す識別子、FEED_URI列３０２は該USER_IDを持つ利用者が登録したフィード情報ＵＲＬである。ユーザ管理表３２はUSER_ID列３０３、USER_NAME列３０４で構成する。USER_ID列３０３は利用者を一意に表す識別子、USER_NAME列３０４は利用者の氏名である。なお、ユーザ管理表３２のデータは、本発明の情報表示装置管理者があらかじめ利用者登録を行うときに登録するものである。
【００３１】
図４は、フィード情報管理装置４が利用者に提示する興味単語設定画面である。興味単語設定画面４１では、前述した利用者が希望するキーワードを興味単語として設定できる。興味単語一覧４０１には、現在利用者が登録している興味単語の一覧を表示する。興味単語一覧４０１の単語情報は個別に選択できる。単語を選択した状態で削除ボタン４０２を押下すると、該単語を興味単語一覧４０１から削除できる。また単語追加入力ボックス４０３に任意の単語を入力し追加ボタン４０４を押下すると、該単語を興味単語として追加する。閉じるボタン４０５を押下すると、興味単語設定画面４１を閉じて興味単語設定を終了する。
【００３２】
図５は、フィード情報管理装置４を通じてフィード情報格納装置２に格納される、ユーザ興味単語管理表５１のデータ構造である。ユーザ興味単語管理表５１はUSER_ID列５０１、INTERESTING_WORDS列５０２で構成する。USER_ID列５０１は利用者を一意に表す識別子、INTERESTING_WORDS列５０２は該USER_IDを持つ利用者が登録した興味単語である。
【００３３】
次に、フィード情報管理装置４で利用者がフィードの購読登録を行うときの処理を、  図６のフローチャートを用いて詳細に説明する。
利用者がフィード情報管理装置４の利用を開始し、購読フィード設定画面２１でフィード情報ＵＲＬ入力ボックス２０２にフィード情報ＵＲＬを入力し、新規購読ボタン２０３を押下する（ステップＳ６０１）と、フィード情報管理装置４はユーザ購読フィード管理表３１を参照し、該利用者の購読フィード情報ＵＲＬを取得する（ステップＳ６０２）。このとき、入力されたフィード情報ＵＲＬがユーザ購読フィード管理表３１に存在すれば、何もせずに処理を終了する（ステップＳ６０３）。存在しなければ、ユーザ購読フィード管理表３１に該利用者の識別子と入力されたフィード情報ＵＲＬを追加し（ステップＳ６０４）、処理を終了する。
【００３４】
また、フィード情報管理装置４で利用者がフィードの購読解除を行うときの処理を、図７のフローチャートを用いて説明する。
利用者がフィード情報管理装置４の利用を開始し購読フィード設定画面２１を表示すると、フィード情報管理装置４はユーザ購読フィード管理表３１の購読フィード情報を参照し（ステップＳ７０１）、購読中フィード一覧２０１を表示し、利用者がフィード情報を選択し購読解除ボタン２０４を押下されるのを待つ（ステップＳ７０２）。利用者が購読解除ボタン２０４を押下すると、フィード情報管理装置４は選択されたフィード情報をユーザ購読フィード管理表３１から削除し（ステップＳ７０３）処理を終了する。
【００３５】
次に、フィード情報管理装置４で利用者が興味単語登録を行うときの処理を、図８のフローチャートを用いて詳細に説明する。
利用者がフィード情報管理装置４の利用を開始し、興味単語設定画面４１で単語追加入力ボックス４０３に任意の単語を入力し追加ボタン４０４を押下する（ステップＳ８０１）と、フィード情報管理装置４はユーザ興味単語管理表５１を参照し、該利用者の興味単語を取得する（ステップＳ８０２）。このとき、入力された興味単語がユーザ興味単語管理表５１の興味単語と一致すれば、何もせずに処理を終了する（ステップＳ８０３）。一致しなければ、ユーザ興味単語管理表５１に該利用者の識別子と入力された興味単語を追加し（ステップＳ８０４）処理を終了する。
【００３６】
また、フィード情報管理装置４で利用者が興味単語の削除を行うときの処理を、図９のフローチャートを用いて説明する。
利用者がフィード情報管理装置４の利用を開始し興味単語設定画面４１を表示すると、フィード情報管理装置４はユーザ興味単語管理表５１の興味単語情報を参照し（ステップＳ９０１）、興味単語一覧４０１を表示し、利用者が興味単語情報を選択し削除ボタン４０２を押下するのを待つ（ステップＳ９０２）。利用者が興味単語情報を選択し削除ボタン４０２を押下すると、フィード情報管理装置４は選択された興味単語をユーザ興味単語管理表５１から削除し（ステップＳ９０３）処理を終了する。
【００３７】
次にフィード情報取得装置１の処理方式について説明する。
図１０はフィード情報取得装置１によってフィード情報格納装置２に格納される、フィードエントリ表１０１のデータ構造である。フィードエントリ表１０１はFEED_URI列１００１、ENTRY_URI列１００２で構成する。FEED_URI列１００１はフィード情報ＵＲＬである。ENTRY_URI列１００２は該フィードに含まれる個々の情報であるエントリ情報のＵＲＬである。
【００３８】
図１１はフィード情報取得装置１によってフィード情報格納装置２に格納される、エントリアーカイブ表１１１である。エントリアーカイブ表１１１はENTRY_URI列１１０１、ENTRY_TITLE列１１０２、ENTRY_CONTENTS列１１０３で構成する。ENTRY_URI列１１０１はエントリ情報のＵＲＬである。ENTRY_TITLE列１１０２は該エントリ情報のタイトル情報である。ENTRY_CONTENTS列１１０３は該エントリ情報の内容である。本実施例ではENTRY_CONTENTS列１１０３は該エントリ情報の概要情報（テキストデータ）であるが、該エントリ情報の全文等のテキストデータでもよい。
【００３９】
図１２はフィード情報取得装置１によってフィード情報格納装置２に格納される、エントリキーワード表１２１である。エントリキーワード表１２１はENTRY_URI列１２０１、ENTRY_KEYWORD列１２０２で構成する。ENTRY_URI列１２０１はエントリ情報のＵＲＬである。ENTRY_KEYWORD列１２０２はエントリ情報の概要情報に含まれるキーワードである。
【００４０】
次に、フィード情報取得装置１がフィード情報を取得する処理を、図１３を用いて詳細に説明する。
フィード情報取得装置１は、フィード情報格納装置２のユーザ購読フィード管理表３１のFEED_URI列３０２を参照し、フィードＵＲＬ情報を取得する（ステップＳ１３０１）。そして取得したフィードＵＲＬで示されるフィードサーバ５にネットワークを介して接続し、フィード情報を取得する（ステップ１３０２）。ここで取得したフィード情報は、フィード情報取得装置１が内容を解析し、フィード情報格納装置２に格納する（ステップＳ１３０３）。
【００４１】
フィード解析処理では、まず取得したフィード情報を読み込む（ステップＳ１３１１）。そしてフィード情報に含まれるエントリ情報を抽出する（ステップＳ１３１２）。本実施例でのフィード情報からのエントリ情報抽出には、既存のＸＭＬ解析装置を使用する。抽出したエントリ情報は、フィード情報格納装置２のエントリアーカイブ表１１１に追加する（ステップＳ１３１３）。また、エントリ情報ＵＲＬはフィードエントリ表１０１に追加する。さらに抽出したエントリ情報のテキストデータから単語を抽出し、フィード情報格納装置２のエントリキーワード表１２１に追加する（ステップＳ１３１４）。本実施例でのテキストデータからの単語抽出には、既存の日本語形態素解析装置を使用する。以上でエントリ情報１件分の解析が終了するので、フィード情報中のエントリ情報の末尾であるか調べる（ステップＳ１３１５）。エントリ情報の末尾であれば、これ以上フィード解析処理を実施する必要がないために処理を終了する。エントリ情報の末尾でなければ、まだ処理していないエントリ情報が存在するため、ステップＳ１３１２に戻り処理を繰り返す。
【００４２】
フィード情報取得装置１は以上の処理をユーザ購読フィード管理表３１に登録された全ての利用者の全てのフィード情報ＵＲＬについて行い、フィード情報格納装置２には、全ての利用者が希望するフィード情報ＵＲＬに関する情報が格納される。
【００４３】
次にフィード情報表示装置３の処理について説明する。
図１４は、フィード情報表示装置３が利用者に提示する主画面である。この画面は利用者にとって本発明の情報表示装置をフィードリーダとして利用できる主画面となる。主画面１４１の左側には、購読中フィード一覧１４０１を表示する。購読中フィード一覧１４０１の項目を利用者が選択すると、選択した購読フィードのエントリ情報を主画面１４１右側上部のエントリ一覧１４０３に表示する。エントリ一覧１４０３の項目を利用者が選択すると、選択したエントリ情報の内容を主画面１４１右側下部のエントリ内容表示領域１４０４に表示する。このとき、エントリ一覧１４０３で選択したエントリ内容のキーワードと合致し、該利用者が購読していないフィードのエントリ情報をフィード情報格納装置２から取得し、未購読エントリ情報表示領域１４０２に表示する。本実施例では、未購読エントリ情報表示領域１４０２はテキスト１行分であり、表示対象のエントリは１件ずつ未購読エントリ情報表示領域１４０２の右側から左側に向かって1文字ずつスクロール表示する。
【００４４】
次にフィード情報表示装置３の情報表示処理の詳細を、図１５のフローチャートを用いて説明する。
利用者がフィード情報表示装置３の利用を開始すると、フィード情報表示装置３は該利用者の利用権限を確認するためにユーザ認証を行う（ステップＳ１５０１）。ユーザ認証に失敗すれば処理を終了し（ステップＳ１５０２）、成功すればフィードリーダ主画面１４１を表示し、購読フィード情報の表示処理（ステップＳ１５０３）および未購読フィード情報の表示処理（ステップＳ１５０４）を行う。
【００４５】
前記購読フィード情報の表示処理（ステップＳ１５０３）の詳細は、図１６のフローチャートを用いて説明する。
【００４６】
まず、フィード情報格納装置２のユーザ購読フィード管理表３１を参照し、該利用者の購読フィード情報の存在を確認する（ステップＳ１６０１）。購読フィード情報が存在しなければ購読フィード情報の表示処理を終了し、存在すれば該購読フィード情報を１件取得する（ステップＳ１６０２）。購読フィード情報がまだ存在すればステップＳ１６０２を実行し、存在しなければ次の処理ステップに移行する（ステップＳ１６０３）。次に、フィード情報格納装置２のユーザ興味単語管理表５１を参照し、該利用者の興味単語を取得する（ステップＳ１６０４）。また、フィード情報格納装置２のフィードエントリ表１０１を参照し、該利用者の購読フィードエントリ情報を取得する（ステップＳ１６０５）。そして、フィード情報格納装置２のエントリキーワード表１２１を参照し、該購読フィードエントリ情報が該利用者の興味単語と一致するか調べる（ステップＳ１６０６）。興味単語と一致すれば、表示対象のエントリ情報としてエントリ一覧表示用のバッファ（一時領域）に追加し（ステップＳ１６０７）次の処理ステップに移行する。興味単語と一致しなければ、何もせずに次の処理ステップに移行する。次に購読フィード情報のエントリ情報がまだ存在すればステップＳ１６０５を実行し、存在しなければ次の処理ステップに移行する（ステップＳ１６０８）。以上で購読対象フィードエントリ情報の判別が完了したので、フィードリーダ主画面１４１の購読中フィード一覧１４０１に購読フィード情報の一覧を表示する（ステップＳ１６０９）。さらにフィードリーダ主画面１４１のエントリ一覧１４０４にエントリ一覧表示用のバッファのエントリー情報を表示する（ステップＳ１６１０）。以上で購読フィード情報の表示処理を終了する。
【００４７】
前記未購読フィード情報の表示処理（ステップＳ１５０４）の詳細は、図１７のフローチャートを用いて説明する。
まず、フィードリーダ主画面１４１で表示中のエントリ情報に含まれるキーワードを、フィード情報格納装置２のエントリキーワード表１２１を参照し取得する（ステップＳ１７０１）。そして取得したキーワードを含む、エントリ情報を同じくフィード情報格納装置２のエントリキーワード表１２１から取得する（ステップＳ１７０２）。取得したエントリ情報のうち、該利用者の購読フィード情報に存在しないエントリ情報のみを取得する（ステップＳ１７０３）。これにより該利用者の未購読フィードのエントリ情報を抽出する。次に、未購読フィードのエントリ情報の表示件数カウンタｎを初期化し（ステップＳ１７０４）、カウンタｎを1増加する（ステップＳ１７０５）。そして該利用者の未購読フィードのエントリ情報からカウンタｎ件目を取得し、フィードリーダ主画面１４１の未購読エントリ情報表示領域１４０２に表示する（ステップＳ１７０６）。さらに該利用者の未購読フィードエントリ情報の最大表示数とカウンタｎを比較し、最大表示数を超えていなければステップＳ１７０５の処理に戻り、最大表示数に達していれば処理を終了する（ステップＳ１７０７）。ここで未購読フィードエントリ情報の最大表示数とは、フィードリーダ主画面１４１の未購読エントリ情報表示領域１４０２に表示する未購読エントリ情報の最大表示件数であり、本実施例では管理者があらかじめ設定しているものとする。もちろん、未購読フィードエントリ情報の最大表示数を利用者が設定する実施例であっても本発明は同様に適用できる。
【００４８】
以上説明したように、本実施例によれば、利用者が購読するフィード情報のうち必要な情報のみを閲覧でき、かつ、購読中の情報と関連があるが該利用者が購読していないフィード情報であっても閲覧することが可能となる。すなわち、本実施例の情報表示装置は、利用者が希望するフィード情報およびエントリ情報を表示することに加えて、該フィード情報およびエントリ情報に含まれるキーワードを含み、かつ該利用者は希望しておらず、かつフィード情報格納装置２に格納されているフィード情報およびエントリ情報を取得して表示することができる。フィード情報格納装置２には、該利用者以外の利用者が希望するフィード情報およびエントリ情報が格納されているから、これらの中から該利用者が希望するフィード情報およびエントリ情報に含まれるキーワードを含むフィード情報およびエントリ情報が表示されることになる。
【００４９】
なお、前述の実施例では、フィード情報取得装置１、フィード情報格納装置２、フィード情報表示装置３、フィード情報管理装置４は個別の装置として存在する例を挙げて説明したが、前述の各装置を内蔵する１個の装置であってもよい。また、フィード情報取得装置１、フィード情報格納装置２、フィード情報表示装置３、フィード情報管理装置４のうちのいくつかを１個の装置としてもよい。
【００５０】
以上説明した各装置はコンピュータとプログラムで構成できる。また、そのプログラムの一部または全部に代えて、ハードウェアで構成することもできる。
【００５１】
以上、前記発明者によってなされた発明を、前記実施例に基づき具体的に説明したが、本発明は前期実施例に限定されるものではなく、その要旨を逸脱しない範囲において種々変更可能であることは勿論である。
【図面の簡単な説明】
【００５２】
【図１】本発明の実施例の情報表示装置の概略構成を示すブロック図である。
【図２】フィード情報管理装置に表示される購読フィード設定画面例を示す図である。
【図３】フィード情報格納装置に格納されるユーザ購読管理表およびユーザ管理表のデータ構造を表す図である。
【図４】フィード情報管理装置に表示される興味単語設定画面例を示す図である。
【図５】フィード情報格納装置に格納されるユーザ興味単語管理表のデータ構造を表す図である。
【図６】フィード購読登録処理の詳細を示すフローチャートである。
【図７】フィード購読削除処理の詳細を示すフローチャートである。
【図８】ユーザ興味単語登録処理の詳細を示すフローチャートである。
【図９】ユーザ興味単語削除処理の詳細を示すフローチャートである。
【図１０】フィード情報格納装置に格納されるフィードエントリ表のデータ構造を表す図である。
【図１１】フィード情報格納装置に格納されるエントリアーカイブ表のデータ構造を表す図である。
【図１２】フィード情報格納装置に格納されるエントリキーワード表のデータ構造を表す図である。
【図１３】フィード情報取得処理の詳細を示すフローチャートである。
【図１４】フィード情報表示装置に表示されるフィードリーダ主画面例を示す図である。
【図１５】フィード情報表示処理の詳細を示すフローチャートである。
【図１６】フィード情報表示処理のうち購読フィード情報表示処理の詳細を示すフローチャートである。
【図１７】フィード情報表示処理のうち未購読フィード情報表示処理の詳細を示すフローチャートである。
【符号の説明】
【００５３】
１  フィード情報取得装置
２  フィード情報格納装置
３  フィード情報表示装置
４  フィード情報管理装置
５  フィードサーバ
２１  購読フィード設定画面
３１  ユーザ購読フィード管理表
３２  ユーザ管理表
４１  興味単語設定画面
５１  ユーザ興味単語管理表
１０１  フィードエントリ表
１１１  エントリアーカイブ表
１２１  エントリキーワード表
１４１  フィードリーダ主画面
【図１】
0005107124.tif 000002
【図２】
0005107124.tif 000003
【図３】
0005107124.tif 000004
【図４】
0005107124.tif 000005
【図５】
0005107124.tif 000006
【図６】
0005107124.tif 000007
【図７】
0005107124.tif 000008
【図８】
0005107124.tif 000009
【図９】
0005107124.tif 000010
【図１０】
0005107124.tif 000011
【図１１】
0005107124.tif 000012
【図１２】
0005107124.tif 000013
【図１３】
0005107124.tif 000014
【図１４】
0005107124.tif 000015
【図１５】
0005107124.tif 000016
【図１６】
0005107124.tif 000017
【図１７】
0005107124.tif 000018